(57)【特許請求の範囲】
【請求項１】
本体（１０）と、移動ブロック（２０）と、取手部（４０）を有する回転筒（３０）と、作動ロッド（５０）と、スプリング（６０）と、取り付けブロック（７０）とを備えるカギであって、
本体（１０）に適当な間隔を有するように複数の貫通孔（１１）が形成され、本体（１０）の一端に延伸部（１２）が設けられると共に、延伸部（１２）の外表面に貫通孔（１１）と対応する位置決め溝（１３）が形成され、本体（１０）後端の上部にカットアウト（１４）が形成されており、
移動ブロック（２０）は上方に作動ボタン（２１）が設けられ、作動ボタン（２１）の下方に後から前に延伸するように異なる直径を有する移動ピン（２２）が設けられ、上記の移動ピン（２２）は位置決め溝（１３）とカットアウト（１４）に設けられると共に、移動ピン（２２）の前端が本体（１０）の貫通孔（１１）から前に突出されており、
回転筒（３０）はシリンダー状であり、前端面に適当な間隔を有するように第一カットアウト（３１）と第二カットアウト（３２）が形成され、内部にリング状のリブ（３３）が形成されると共に、リブ（３３）に位置決め溝（１３）に対して湾曲凹部（３４）が形成されており、
複数の作動ロッド（５０）は夫々位置決め溝（１３）と、貫通孔（１１）と、湾曲凹部（３４）に対して設置されると共に、前端に貫通孔（１１）から前に突出され、作動ロッド（５０）後端の付近に交差間隔を有するようにリング状溝（５１）とリング状弁（５２）が設けられ、スプリング（６０）は作動ロッド（５０）の後端に設置されると共に、スプリング（６０）の後に取り付けブロック（７０）が設置され、上記の取り付けブロック（７０）の後が回転筒（３０）の内壁面と接触されることを特徴とするカギ。
【請求項２】
移動ブロック（２０）は断面がL字形であることを特徴とする請求項１に記載のカギ。
【請求項３】
第一カットアウト（３１）はより浅く、第二カットアウト（３２）はより深いことを特徴とする請求項１又は２に記載のカギ。
【発明の詳細な説明】
【０００１】
【発明の属する技術分野】
本発明は、特に異なる子カギに対してロック内部の排列構造を変えることができる親カギとして使用されるカギに関するものである。
【０００２】
【従来の技術】
カギとロックは生活の中に良くある施錠或いは解錠するためものである。従って、カギとロックの実用性は広い。
従来のカギとロックは、特にカギによってロックを解錠するものがゲームセンターにおけるゲーム機器によく使用されている。
【０００３】
【本発明が解決しようとする課題】
しかしながら、一般のロックは対応するカギでしか解錠できないため、若し対応するカギが紛失した場合、或いは不審な者がこのカギをコピーしたならば（特に暫らく物を保存するためロッカーにおけるロックとそのカギ）、物を保存する人の財産が損失される恐れがある。このように従来のカギには多くの改良点があった。
【０００４】
【課題を解決するための手段】
上記の課題を解決するために、本発明は、
本体（１０）と、移動ブロック（２０）と、取手部（４０）を有する回転筒（３０）と、作動ロッド（５０）と、スプリング（６０）と、取り付けブロック（７０）とを備えるカギであって、
本体（１０）に適当な間隔を有するように複数の貫通孔（１１）が形成され、本体（１０）の一端に延伸部（１２）が設けられると共に、延伸部（１２）の外表面に貫通孔（１１）と対応する位置決め溝（１３）が形成され、本体（１０）後端の上部にカットアウト（１４）が形成されており、
移動ブロック（２０）は上方に作動ボタン（２１）が設けられ、作動ボタン（２１）の下方に後から前に延伸するように異なる直径を有する移動ピン（２２）が設けられ、上記の移動ピン（２２）は位置決め溝（１３）とカットアウト（１４）に設けられると共に、移動ピン（２２）の前端が本体（１０）の貫通孔（１１）から前に突出されており、
回転筒（３０）はシリンダー状であり、前端面に適当な間隔を有するように第一カットアウト（３１）と第二カットアウト（３２）が形成され、内部にリング状のリブ（３３）が形成されると共に、リブ（３３）に位置決め溝（１３）に対して湾曲凹部（３４）が形成されており、
複数の作動ロッド（５０）は夫々位置決め溝（１３）と、貫通孔（１１）と、湾曲凹部（３４）に対して設置されると共に、前端に貫通孔（１１）から前に突出され、作動ロッド（５０）後端の付近に交差間隔を有するようにリング状溝（５１）とリング状弁（５２）が設けられ、スプリング（６０）は作動ロッド（５０）の後端に設置されると共に、スプリング（６０）の後に取り付けブロック（７０）が設置され、上記の取り付けブロック（７０）の後が回転筒（３０）の内壁面と接触されることを特徴とするカギ、を提供する。
【０００５】
【発明の実施の形態】
以下、添付図面を参照して本発明の好適な実施の形態を詳細に説明する。
図１は本発明に係わるカギの斜視図であり、図２は本発明に係わるカギの解斜視図であり、図３は本発明に係わるカギの断面図であり、図４は本発明に係わるカギにおける移動ブロックが回転筒の第二カットアウトに移動される状態を示す斜視図であり、図５は本発明に係わるカギにおける移動ブロックが回転筒の第二カットアウトに移動される状態を示す正視図であり、図６は本発明に係わるカギの他の状態を示す断面図であり、図７は本発明の図５の７−７線断面図であり、図８は本発明に係わるカギの取手部を一定の角度に回転されると共に、移動ブロックが第二カットアウトにおける状態を示す正視図であり、図９は本発明の図８の９−９線断面図であり、図１０は本発明に係わるカギに替えられる子カギの斜視図であり、図１１は本発明に係わるカギを二回目にロックに挿入する状態を示す断面図である。
図１乃至図３に示すように、本発明のカギは親カギとして使用され、本体（１０）と、移動ブロック（２０）と、取手部（４０）を有する回転筒（３０）と、作動ロッド（５０）と、スプリング（６０）と、取り付けブロック（７０）とを備えている。
本体（１０）に適当な間隔を有するように複数の貫通孔（１１）が形成され、本体（１０）の一端には延伸部（１２）が設けられると共に、延伸部（１２）の外表面には貫通孔（１１）と対応する位置決め溝（１３）が形成され、本体（１０）後端の上部にはカットアウト（１４）が形成されている。
移動ブロック（２０）は断面がL字形であり、上方に作動ボタン（２１）が設けられ、作動ボタン（２１）の下方には後から前に延伸するように異なる直径を有する移動ピン（２２）が設けられている。上記の移動ピン（２２）は位置決め溝（１３）とカットアウト（１４）に設けられると共に、移動ピン（２２）の前端が本体（１０）の貫通孔（１１）から前に突出されている。
回転筒（３０）はシリンダー状であり、前端面に適当な間隔を有するようにより浅い第一カットアウト（３１）とより深い第二カットアウト（３２）が形成され、内部にリング状のリブ（３３）が形成されると共に、リブ（３３）に位置決め溝（１３）に対して湾曲凹部（３４）が形成されている。
複数の作動ロッド（５０）は夫々位置決め溝（１３）と、貫通孔（１１）と、湾曲凹部（３４）に対して設置されると共に、前端に貫通孔（１１）から前に突出されている。作動ロッド（５０）後端の付近に交差間隔を有するようにリング状溝（５１）とリング状弁（５２）が設けられている。スプリング（６０）は作動ロッド（５０）の後端に設置されると共に、スプリング（６０）の後に取り付けブロック（７０）が設置されている。上記の取り付けブロック（７０）の後が回転筒（３０）の内壁面と接触している（図９に示すように）。
図１、図３及び図９に示すように、上記の構造を組み合せた後、使用する際、先ず親カギをロックに挿入し、スプリング（６０）の弾性力がロック内におけるバネ（８０）の弾性力より強いから、内部ロッド（８１）が第一タンブラー（８２）における取り付け孔（８３）の内側に押圧されると共に、第一ロッド（８４）と第二ロッド（８５）が第二タンブラー（８６）と第三タンブラー（８７）内に押圧される。その中、第二ロッド（８５）が第二タンブラー（８６）と第三タンブラー（８７）との回転界面に押圧される。
又、ロック下に設けられる上部定位ロッド（８８）と定位ロッド（８９）が同時に押圧されると共に、上部定位ロッド（８８）が第二タンブラー（８６）と第三タンブラー（８７）との回転界面に押圧される。この際、取手部（４０）を適当な角度まで回転させると共に、回転筒（３０）が第一カットアウト（３１）から第二カットアウト（３２）まで回転され（図４乃至図９に示すように）、更に、移動ブロック（２０）を後方に移動させると共に、移動ブロック（２０）を第二カットアウト（３２）内に定位させ、この際、回転筒（３０）内部におけるリブ（３３）を何れのリング状溝（５１）に回転させると共に、定位させ、且つ、リブ（３３）とリング状弁（５２）とが相互に閉めかかっている。親カギを最初の位置から適当な角度（例えば１８０度）まで回転し続けた後、親カギを取り出す。第二タンブラー（８６）と第三タンブラー（８７）内における孔の排列が変更されるため、図１０に示すように、子カギ（９１）をロックに挿入すれば、一部のワッシャー（９０）が子カギ（９１）における配合凹部（９２）の形で第三タンブラー（８７）の孔に押圧され、更に子カギ（９１）を最初の位置に回転して戻り、それにより、子カギ（９１）の設定動作が完了する。上記の動作を繰り返し、第二の子カギ、第三の子カギなど設定することができる。
図１１に示すように、これは親カギが二回目にロックに挿入される状態を示す断面図であり、これは上記の述べるようにロック内部の排列を変化させることによって、異なる子カギに対して使用されるロックになる。
【０００６】
【発明の効果】
本発明は以上説明したようになるから、次のような効果を得ることができる。
本発明は一本の親カギによって異なる子カギに対してロックの内部構造を変更できる。親カギがロック内に挿入されると共に、第三タンブラー（８７）のみが回転し、更に、子カギ（９１）がロックに挿入されると共に、最初の位置に回転して戻れば、この子カギ（９１）の設定動作が完了する。これにより、簡単に一本の親カギで異なる子カギに対して一つのロックの内部構造を変更させることができ、従って、このロックは異なる子カギに使用できる。
【図面の簡単な説明】
【図１】本発明に係わるカギの斜視図である。
【図２】本発明に係わるカギの解斜視図である。
【図３】本発明に係わるカギの断面図である。
【図４】本発明に係わるカギにおける移動ブロックが回転筒の第二カットアウトに移動される状態を示す斜視図である。
【図５】本発明に係わるカギにおける移動ブロックが回転筒の第二カットアウトに移動される状態を示す正視図である。
【図６】本発明に係わるカギの他の状態を示す断面図である。
【図７】本発明の図５の７−７線断面図である。
【図８】本発明に係わるカギの取手部を一定の角度に回転されると共に、移動ブロックが第二カットアウトにおける状態を示す正視図である。
【図９】本発明の図８の９−９線断面図である。
【図１０】本発明に係わるカギに替えられる子カギの斜視図である。
【図１１】本発明に係わるカギを二回目にロックに挿入する状態を示す断面図である。
【符号の説明】
１０        本体
１１        貫通孔
１２        延伸部
１３        位置決め溝
１４        カットアウト
２０        移動ブロック
２１        作動ボタン
２２        移動ピン
３０        回転筒
３１        第一カットアウト
３２        第二カットアウト
３３        リブ
３４        湾曲凹部
４０        取手部
５０        作動ロッド
５１        リング状溝
５２        リング状弁
６０        スプリング
７０        取り付けブロック
８０        バネ
８１        内部ロッド
８２        第一タンブラー
８３        取り付け孔
８４        第一ロッド
８５        第二ロッド
８６        第二タンブラー
８７        第三タンブラー
８８        上部定位ロッド
８９        定位ロッド
９０        ワッシャー
９１        子カギ
９２        配合凹部
【図１】
0003731034.tif 000002
【図２】
0003731034.tif 000003
【図３】
0003731034.tif 000004
【図４】
0003731034.tif 000005
【図５】
0003731034.tif 000006
【図６】
0003731034.tif 000007
【図７】
0003731034.tif 000008
【図８】
0003731034.tif 000009
【図９】
0003731034.tif 000010
【図１０】
0003731034.tif 000011
【図１１】
0003731034.tif 000012